【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
複数の計量部に被計量物が手動で載せられ、各計量部の前記被計量物の重量値に基づいて、前記複数の計量部への前記被計量物の載せ方に応じた組合せ演算を行って、該組合せ演算が成立して、設定条件を満たす計量部の組合せである最適組合が選択されたときには、前記最適組合せの計量部に載せられている被計量物が手動で降ろされる組合せ秤であって、
前記組合せ演算の成立に関する情報を、前記載せ方に対応させて出力する出力手段を備える、
ことを特徴とする組合せ秤。
【請求項２】
前記被計量物の重量データに基づいて、正規分布に従う乱数として前記被計量物の重量値を仮想した仮想重量値を生成する仮想重量値生成手段と、
前記仮想重量値生成手段で生成した仮想重量値の前記被計量物を、予め設定されている複数の載せ方に従って、前記複数の計量部に載せたと想定したときの各計量部の仮想重量値に基づいて、各載せ方に応じた組合せ演算をそれぞれ行って仮想の前記最適組合せを選択する仮想組合せ演算手段とを備え、
前記出力手段は、前記仮想組合せ演算手段による組合せ演算の結果として、前記組合せ演算の成立に関する情報を、前記各載せ方に対応させて出力する、
請求項１に記載の組合せ秤。
【請求項３】
前記被計量物の重量データが、複数の前記被計量物の重量値の平均値および標準偏差である、
請求項２に記載の組合せ秤。
【請求項４】
前記出力手段は、前記仮想組合せ演算手段による組合せ演算の結果として、前記仮想の最適組合せの被計量物の仮想重量値を合計した仮想組合せ重量値に関する情報を、前記各載せ方に対応させて出力する、
請求項２または３に記載の組合せ秤。
【請求項５】
前記出力手段は、前記仮想組合せ演算手段による組合せ演算の結果として、前記仮想の最適組合せを選択する回数が設定回数に達するまでに要する前記被計量物の前記手動による載せ降ろしの作業時間に関する情報を、前記各載せ方に対応させて出力する、
請求項２ないし４のいずれかに記載の組合せ秤。
【請求項６】
前記複数の載せ方は、前記複数の各計量部に前記被計量物を同数載せる載せ方と、前記複数の計量部を複数に区分し、区分毎に載せる被計量物の数を異ならせ、かつ、同じ区分の各計量部に前記被計量物を同数載せる載せ方と、前記複数の計量部の一部の計量部を、前記最適組合せに優先的に参加させる優先計量部とし、該優先計量部と他の計量部とで載せる被計量物の数を異ならせる載せ方の少なくともいずれか一つの載せ方を含む、
請求項２ないし５のいずれかに記載の組合せ秤。
【請求項７】
前記最適組合せの計量部が満たす前記設定条件は、該最適組合せの計量部に載せた被計量物の重量値を合計した組合せ重量値が許容重量範囲内であって、かつ、最適組合せの計量部に載せた被計量物の数の合計が、設定数である、
請求項２ないし６のいずれかに記載の組合せ秤。
【手続補正２】
【補正対象書類名】明細書
【補正対象項目名】００１３
【補正方法】変更
【補正の内容】
【００１３】
前記目的を達成するために、本発明では、次のように構成している。
（１）本発明の組合せ秤は、複数の計量部に被計量物が手動で載せられ、各計量部の前記被計量物の重量値に基づいて、前記複数の計量部への前記被計量物の載せ方に応じた組合せ演算を行って、該組合せ演算が成立して、設定条件を満たす計量部の組合せである最適組合が選択されたときには、前記最適組合せの計量部に載せられている被計量物が手動で降ろされる組合せ秤であって、  前記組合せ演算の成立に関する情報を、前記載せ方に対応させて出力する出力手段を備える。
本発明の組合せ秤によると、組合せ演算の成立に関する情報が出力されるので、ユーザは、組合せ秤を稼動させて実際の計量作業を開始する前に、被計量物の載せ方毎に組合せ演算の成立に関する情報を得ることができ、これによって、どの載せ方を採用すると、組合せ演算の成立がどのようになるかを把握できることになり、被計量物の載せ方の選択が容易となる。
【手続補正３】
【補正対象書類名】明細書
【補正対象項目名】００１４
【補正方法】変更
【補正の内容】
【００１４】
（２）本発明の組合せ秤の好ましい実施態様では、前記被計量物の重量データに基づいて、正規分布に従う乱数として前記被計量物の重量値を仮想した仮想重量値を生成する仮想重量値生成手段と、前記仮想重量値生成手段で生成した仮想重量値の前記被計量物を、予め設定されている複数の載せ方に従って、前記複数の計量部に載せたと想定したときの各計量部の仮想重量値に基づいて、各載せ方に応じた組合せ演算をそれぞれ行って仮想の前記最適組合せを選択する仮想組合せ演算手段とを備え、前記出力手段は、前記仮想組合せ演算手段による組合せ演算の結果として、前記組合せ演算の成立に関する情報を、前記各載せ方に対応させて出力するものである。
【手続補正４】
【補正対象書類名】明細書
【補正対象項目名】００１８
【補正方法】変更
【補正の内容】
【００１８】
（３）本発明の組合せ秤の別の実施態様では、前記被計量物の重量データが、複数の前記被計量物の重量値の平均値および標準偏差である。
【手続補正５】
【補正対象書類名】明細書
【補正対象項目名】００２１
【補正方法】変更
【補正の内容】
【００２１】
（４）本発明の組合せ秤の好ましい実施態様では、前記出力手段は、前記仮想組合せ演算手段による組合せ演算の結果として、前記仮想の最適組合せの被計量物の仮想重量値を合計した仮想組合せ重量値に関する情報を、前記各載せ方に対応させて出力する。
【手続補正６】
【補正対象書類名】明細書
【補正対象項目名】００２４
【補正方法】変更
【補正の内容】
【００２４】
（５）本発明の組合せ秤の別の実施態様では、前記出力手段は、前記仮想組合せ演算手段による組合せ演算の結果として、前記仮想の最適組合せを選択する回数が設定回数に達するまでに要する前記被計量物の前記手動による載せ降ろしの作業時間に関する情報を、前記各載せ方に対応させて出力する。
【手続補正７】
【補正対象書類名】明細書
【補正対象項目名】００２７
【補正方法】変更
【補正の内容】
【００２７】
（６）本発明の組合せ秤の別の実施態様では、前記複数の載せ方は、前記複数の各計量部に前記被計量物を同数載せる載せ方と、前記複数の計量部を複数に区分し、区分毎に載せる被計量物の数を異ならせ、かつ、同じ区分の各計量部に前記被計量物を同数載せる載せ方と、前記複数の計量部の一部の計量部を、前記最適組合せに優先的に参加させる優先計量部とし、該優先計量部と他の計量部とで載せる被計量物の数を異ならせる載せ方の少なくともいずれか一つの載せ方を含むものである。
【手続補正８】
【補正対象書類名】明細書
【補正対象項目名】００２９
【補正方法】変更
【補正の内容】
【００２９】
（７）本発明の組合せ秤の別の実施態様では、前記最適組合せの計量部が満たす前記設定条件は、該最適組合せの計量部に載せた被計量物の重量値を合計した組合せ重量値が許容重量範囲内であって、かつ、最適組合せの計量部に載せた被計量物の数の合計が、設定数である。
【手続補正９】
【補正対象書類名】明細書
【補正対象項目名】００３２
【補正方法】変更
【補正の内容】
【００３２】
このように本発明によれば、組合せ演算の成立に関する情報を出力するので、ユーザは、組合せ秤を稼動させて実際の計量作業を開始する前に、被計量物の載せ方毎の組合せ演算の成立に関する情報を得ることができ、これによって、どの載せ方を採用すると、組合せ演算の成立がどのようになるかを把握できることになり、被計量物の載せ方の選択が容易となる。